(57)【要約】      （修正有）【課題】確実に化粧板を便器本体に取り付けることができる便器及び取付具を提供する。【解決手段】便器１０が、便器本体と、便器本体の側面に存在する凹部１８と、凹部１８を覆う化粧板と、凹部から突起する突起部２４Ａ、２４Ｂと、突起部２４Ａ、２４Ｂと係合されて便器本体に接続される便器接続部３４と、便器接続部３４と異なる箇所に設けられ、化粧板に接続される化粧板接続部と、を有し、化粧板を便器本体に取り付ける取付具３０と、を備える。【選択図】図６
2016069905.tif 000002
【特許請求の範囲】
【請求項１】
便器本体と、
前記便器本体の側面に存在する凹部と、
前記凹部を覆う化粧板と、
前記凹部から突起する突起部と、
前記突起部と係合されて前記便器本体に接続される便器接続部と、前記便器接続部と異なる箇所に設けられ、前記化粧板に接続される化粧板接続部と、を有し、前記化粧板を前記便器本体に取り付ける取付具と、
を備える便器。
【請求項２】
前記突起部は、他の用途のため設けられている既存の突起部であり、
前記便器接続部は、前記既存の突起部が挿入される挿入部を有し、前記既存の突起部が前記挿入部に挿入されることで前記便器本体に接続される、
請求項１に記載の便器。
【請求項３】
前記便器接続部は、前記凹部のうち前記便器本体の背面の裏面となる箇所に接続される第１便器接続部と、前記凹部のうち前記便器本体の上面の裏面となる箇所に接続される第２便器接続部と、を有する、
請求項１又は請求項２に記載の便器。
【請求項４】
前記便器接続部と異なる箇所に設けられ、少なくとも前記化粧板を前記便器本体に取り付けた際に前記凹部の平面と当接する当接部、
をさらに備える請求項１乃至請求項３の何れか１項に記載の便器。
【請求項５】
前記取付具は、前記凹部の上方に配置され、前記化粧板の上端を前記便器本体に取り付け、
前記凹部の側面のうち下方の面には、前記化粧板の下端を前記便器本体に取り付ける貼付部材が設けられている、
請求項１乃至請求項４の何れか１項に記載の便器。
【請求項６】
便器本体の側面に存在する凹部から突起する突起部と係合されて前記便器本体に接続される便器接続部と、
前記便器接続部と異なる箇所に設けられ、前記凹部を覆う化粧板に接続される化粧板接続部と、
を備え、
前記化粧板を前記便器本体に取り付ける取付具。
【発明の詳細な説明】
【技術分野】
【０００１】
本発明は、便器及び取付具に関する。
【背景技術】
【０００２】
従来の便器は、便器本体をトイレ室の床に設置する際の施工スペースとして便器本体の後方に凹部が設けられていたり、便器本体のトラップがむき出しになっていたりしており、それらにより便器本体全体の外観意匠が低下することを防ぐために、化粧板で覆い隠しているものがある（例えば特許文献１参照。）。
【０００３】
これに関し、特許文献２には、便器本体に製造誤差が発生し、便器本体と化粧板との間に隙間が生じたとしても化粧板を便器本体に密着して固定させるため、化粧板に固定部を設け、この固定部により化粧板を撓ませた状態で便器本体に固定した便器が開示されている。
【先行技術文献】
【特許文献】
【０００４】
【特許文献１】特開２００２−２１３００７号公報
【特許文献２】特開２０１１−６４０５７号公報
【発明の概要】
【発明が解決しようとする課題】
【０００５】
しかしながら、特許文献２に記載の便器では、化粧板の接触面となる便器本体の側面に存在する凹部の底面や側面の製造誤差が大きい場合、化粧板を便器本体に固定することができない。
【０００６】
そこで、本発明は、上述した課題を解決するためになされたものであり、確実に化粧板を便器本体に取り付けることができる便器及び取付具を提供することを目的の一つとしている。
【課題を解決するための手段】
【０００７】
本発明の第１態様に係る便器は、便器本体と、前記便器本体の側面に存在する凹部と、前記凹部を覆う化粧板と、前記凹部から突起する突起部と、前記突起部と係合されて前記便器本体に接続される便器接続部と、前記便器接続部と異なる箇所に設けられ、前記化粧板に接続される化粧板接続部と、を有し、前記化粧板を前記便器本体に取り付ける取付具と、を備える。
【０００８】
この構成によれば、凹部の底面や側面において大小関わりなく寸法の製造誤差、例えば凹部の凹凸の寸法に製造誤差があっても、便器接続部が凹部から突起する突起部と係合されるので、化粧板接続部の箇所が凹部から浮いた状態となり、凹部の面部に直接的に化粧板接続部を設ける箇所を少なくでき、化粧板接続部の設置箇所が、凹部の面部の製造誤差によってバラツクことを抑制することができる。したがって、取付具により確実に化粧板を便器本体に取り付けることができる。
【０００９】
本発明の第２態様に係る便器では、第１態様において、前記突起部は、他の用途のため設けられている既存の突起部であり、前記便器接続部は、前記既存の突起部が挿入される挿入部を有し、前記既存の突起部が前記挿入部に挿入されることで前記便器本体に接続される。
【００１０】
この構成によれば、他の用途のため設けられている既存の突起部を用いて取付具により化粧板を便器本体に取り付けることができる。この結果、製造工程を増やすことなく、確実に化粧板を便器本体に取り付けることができる。
【００１１】
本発明の第３態様に係る便器では、第１態様又は第２態様において、前記便器接続部は、前記凹部のうち前記便器本体の背面の裏面となる箇所に接続される第１便器接続部と、前記凹部のうち前記便器本体の上面の裏面となる箇所に接続される第２便器接続部と、を有する。
【００１２】
この構成によれば、化粧板に力が掛っても背面の裏面と上面の裏面との直線上でない２方向にその力が分散されるので、化粧板と便器本体の取り付けが強固となる。
【００１３】
本発明の第４態様に係る便器では、第１態様乃至第３態様の何れか１つの態様において、前記便器接続部と異なる箇所に設けられ、少なくとも前記化粧板を前記便器本体に取り付けた際に前記凹部の平面と当接する当接部、をさらに備える。
【００１４】
この構成によれば、化粧板を便器に取り付けた際に化粧板に力が掛っても当接部が凹部の平面と当接するので、化粧板が、変形したまま取り付けられたり、化粧板の姿勢が目的の姿勢でないまま取り付けられたりすることを抑制できる。
【００１５】
本発明の第５態様に係る便器では、第１態様乃至第４態様の何れか１つの態様において、前記取付具は、前記凹部の上方に配置され、前記化粧板の上端を前記便器本体に取り付け、前記凹部の側面のうち下方の面には、前記化粧板の下端を前記便器本体に取り付ける貼付部材が設けられている。
【００１６】
この構成によれば、化粧板の下端を便器本体に取り付ける貼付部材が凹部の下方側面に設けられているので、バラつきの大きい凹部の底面に化粧板を取り付ける必要がなくなり、より確実に化粧板を便器本体に取り付けることができる。また、化粧板の下端を便器本体に取り付ける貼付部材が凹部の下方側面に設けられているので、化粧板の下端と凹部の下方側面との間の隙間を小さくできる、或いは、一定した隙間を形成できる。
【００１７】
本発明の第６態様に係る取付具は、便器本体の側面に存在する凹部から突起する突起部と係合されて前記便器本体に接続される便器接続部と、前記便器接続部と異なる箇所に設けられ、前記凹部を覆う化粧板に接続される化粧板接続部と、を備え、前記化粧板を前記便器本体に取り付ける。
【００１８】
この構成によれば、凹部の底面や側面において大小関わりなく寸法の製造誤差、例えば凹部の凹凸の寸法に製造誤差があっても、便器接続部が凹部から突起する突起部と係合されるので、化粧板接続部の箇所が凹部から浮いた状態となり、凹部の面部に直接的に化粧板接続部を設ける箇所を少なくでき、その製造誤差を吸収することができる。したがって、取付具により確実に化粧板を便器本体に取り付けることができる。
【発明の効果】
【００１９】
本発明の便器及び取付具によれば、確実に化粧板を便器本体に取り付けることができる。
【図面の簡単な説明】
【００２０】
【図１】本発明の実施形態に係る便器を模式的に示す斜視図である。
【図２】化粧板の裏面側の斜視図である。
【図３】図１において、化粧板が覆う凹部の拡大図である。
【図４】図３に示す拡大図において、他の方向から見た凹部の図である。
【図５】本発明の実施形態に係る取付具の斜視図である。
【図６】本発明の実施形態に係る取付具が便器本体に接続されている様子を示す図である。
【発明を実施するための形態】
【００２１】
以下、添付図面を参照しながら本発明の実施形態について説明する。理解を容易にするため、各図面において同一の構成要素に対しては可能な限り同一の符号を付し、重複する説明は省略する。
【００２２】
図１は、本発明の実施形態に係る便器１０を模式的に示す斜視図である。
【００２３】
＜便器の構成＞
図１に示す便器１０は、洋式腰掛便器である。
【００２４】
この便器１０は、便器本体１２と、化粧板１４と、を備える。
【００２５】
便器本体１２は、例えばボウル状であり、上面１２Ａと、底面１２Ｂと、背面１２Ｃと、前面１２Ｄと、側面１２Ｅと、を有する。
【００２６】
上面１２Ａの後方部には、例えば便座及び便蓋を有する不図示の便座ユニットが設けられてもよい。上面１２Ａの前方部には、ボウル部１６が形成されている。ボウル部１６は、便器１０の上面１２Ａよりも凹んだ凹状である。ボウル部１６は、使用者から排泄された汚物や尿などを受ける。また、ボウル部１６は、内部に水を貯留し、排水管から悪臭や害虫類などが室内に侵入することを防いでいる。
【００２７】
底面１２Ｂは、トイレ室内の床面と接触する面である。ただし、便器１０を壁掛便器とした場合、床面から浮いた状態となる。
【００２８】
背面１２Ｃは、トイレ室内の壁と対向する面である。
【００２９】
前面１２Ｄは、トイレ室内に入ってくる使用者と対向する面である。
【００３０】
側面１２Ｅには、例えばトイレ室の床や壁に設置する際の施工スペースとして凹部１８が存在する。
【００３１】
この凹部１８により、便器本体全体の外観意匠が低下することを防ぐために、凹部１８は、化粧板１４で覆い隠されている。
【００３２】
化粧板１４の形状は、例えば略四角形状である。
【００３３】
図２は、化粧板１４の裏面側の斜視図である。
【００３４】
化粧板１４の裏面上部には、貼付部材として例えば２つの面ファスナー２０Ａ、２０Ｂが固定されている。一方の面ファスナー２０Ａは、裏面上部の一方の隅部に配置されている。他方の面ファスナー２０Ｂは、裏面上部の他方の隅部に配置されている。
【００３５】
化粧板１４の裏面下部には、例えば２つの脚部１４Ａ、１４Ｂが取り付けられている。脚部１４Ａ、１４Ｂはそれぞれ、化粧板１４の裏面から板厚方向に突出する。一方の脚部１４Ａは、一方の面ファスナー２０Ａと上下で対向する。他方の脚部１４Ｂは、他方の面ファスナー２０Ｂと上下で対向する。
【００３６】
一方の脚部１４Ａには、面ファスナー２０Ｃが固定されている。他方の脚部１４Ｂには、面ファスナー２０Ｄが固定されている。
【００３７】
図３は、図１において、化粧板１４が覆う凹部１８の拡大図である。図３では、化粧板１４が取り外されている。図４は、図３に示す拡大図において、他の方向から見た凹部１８の図である。
【００３８】
図３に示すように、凹部１８は、主として、底面１８Ａと、当該底面１８Ａの周りの側面１８Ｂと、を含む。
【００３９】
底面１８Ａは、底に高低差があるものの、側面１８Ｂを除く凹部１８の全ての面である。
【００４０】
図４に示すように、側面１８Ｂのうち下方の面１８Ｃには、化粧板１４の下端を便器本体１２に取り付ける貼付部材としての２つの面ファスナー２２Ａ、２２Ｂが固定されている。
【００４１】
一方の面ファスナー２２Ａは、一方の脚部１４Ａの面ファスナー２０Ｃと貼り合わせられる（図２参照。）。他方の面ファスナー２２Ｂは、他方の脚部１４Ｂの面ファスナー２０Ｄと貼り合わせられる。
【００４２】
図３に戻って、凹部１８の側面１８Ｂのうち例えば背面１２Ｃの裏面となる後方の面１８Ｄには、凹部１８から突起する突起部としてのボルト２４Ａが固定されている。同様に、凹部１８の側面１８Ｂのうち例えば上面１２Ａの裏面となる上方の面１８Ｅには、凹部１８から突起する突起部としてのボルト２４Ｂが固定されている。
【００４３】
ボルト２４Ａは、面１８Ｄから凹部１８の中央に向かって突起している。このボルト２４Ａは、後述する取付具用に設けられていたものではなく、他の用途のため設けられている既存の突起部である。このボルト２４Ａは、例えば便器本体１２の背面１２Ｃをトイレ室の壁又は壁に設けられた取付用フレームに接続する用途で設けられている。
【００４４】
ボルト２４Ｂは、面１８Ｅから凹部１８の中央に向かって突起している。このボルト２４Ｂは、後述する取付具用に設けられていたものではなく、他の用途のため設けられている既存の突起部である。このボルト２４Ｂは、例えば便器本体１２の上面１２Ａに便座ユニットを接続する用途で設けられている。
【００４５】
＜取付具の構成＞
本発明の実施形態に係る便器１０では、以上のような凹部１８を化粧板１４で覆うため、化粧板１４を便器本体１２に取り付ける取付具を備えている。
【００４６】
図５は、本発明の実施形態に係る取付具３０の斜視図である。
【００４７】
図５に示すように、取付具３０は、板部３２と、便器接続部３４と、化粧板接続部３６と、当接部３８と、を有している。
【００４８】
板部３２の形状は、凹部１８の内部の形状に合わせられている。本実施形態では、板部３２の上面視の形状は、直角を含む略台形である。
【００４９】
略台形の脚となる一端部には、便器接続部３４の一つとなる第１便器接続部３４Ａが設けられている。この第１便器接続部３４Ａは、板部３２の一端部から下方に折れ曲がっている。また、第１便器接続部３４Ａは、ボルト２４Ａが挿入される挿入部としての挿入口４０を有している。挿入口４０の形状は、例えば略円形状である。
【００５０】
図６は、本発明の実施形態に係る取付具３０が便器本体１２に接続されている様子を示す図である。
【００５１】
図６に示すように、取付具３０は、便器本体１２の凹部１８において上方に配置されている。取付具３０の第１便器接続部３４Ａは、ボルト２４Ａと係合されて便器本体１２に接続される。具体的には、第１便器接続部３４Ａは、ボルト２４Ａが挿入口４０に挿入されることで、凹部１８のうち便器本体１２の背面１２Ｃの裏面となる箇所（後方の面１８Ｄ）に接続される。第１便器接続部３４Ａは、ボルト２４Ａが挿入口４０に挿入された後、ナット４２で固定される。
【００５２】
図５に戻って、板部３２の略台形の底辺（以下、「下底」と称す。）となる端部には、便器接続部３４の一つとなる第２便器接続部３４Ｂが設けられている。
【００５３】
第２便器接続部３４Ｂは、板部３２の略台形の下底となる端部の例えば中央部から、板部３２方向に折り返して上方に突出している。また、第２便器接続部３４Ｂは、ボルト２４Ｂが挿入される挿入部としての挿入口４４を有している。挿入口４４の形状は、例えば略円形状である。
【００５４】
図６に示すように、第２便器接続部３４Ｂは、ボルト２４Ｂと係合されて便器本体１２に接続される。具体的には、第２便器接続部３４Ｂは、ボルト２４Ｂが挿入口４４に挿入されることで、凹部１８のうち便器本体１２の上面の裏面となる箇所（後方の面１８Ｅ）に接続される。第２便器接続部３４Ｂは、ボルト２４Ｂが挿入口４４に挿入された後、ナット４６で固定される。
【００５５】
図５に戻って、板部３２の略台形の下底となる端部には、第２便器接続部３４Ｂとは反対方向（下方）に突出した化粧板接続部３６が設けられている。
【００５６】
化粧板接続部３６は、便器接続部３４と異なる箇所に設けられ、化粧板１４に接続される。具体的には、化粧板接続部３６の表面には、化粧板１４の上端を便器本体１２に取り付ける２つの面ファスナー４６Ａ、４６Ｂが固定されている。
【００５７】
一方の面ファスナー４６Ａは、化粧板１４の一方の面ファスナー２０Ａと貼り合わせられる（図２参照。）。他方の面ファスナー４６Ｂは、化粧板１４の他方の面ファスナー２０Ｂと貼り合わせられる（図２参照。）。
【００５８】
図５に戻って、便器接続部３４と異なる箇所、例えば板部３２の略台形の上底には、当接部３８が設けられている。
【００５９】
当接部３８は、略台形の上底の一部から、凹部１８の平面（例えば底面１８Ａ）に向かって突出している。そして、当接部３８は、少なくとも化粧板１４を便器本体１２に取り付けた際に凹部１８の平面と当接する。
【００６０】
＜作用＞
次に、本発明の実施形態に係る便器１０及び取付具３０の作用について説明する。
【００６１】
本発明の実施形態に係る便器１０は、凹部１８を備えているため、凹部１８の底面や側面において寸法の製造誤差、例えば凹部１８の底面の凹凸の寸法に製造誤差が存在する場合がある。しかしながら、便器１０の構成によれば、大小関わりなく寸法の製造誤差があっても、便器接続部３４が凹部１８から突起するボルト２４Ａ、２４Ｂと係合されるので、取付具３０において化粧板接続部３６の箇所が凹部１８から浮いた状態となり、凹部１８の面部に直接的に化粧板接続部３６を設ける箇所を少なくでき、化粧板接続部３６の設置箇所が、凹部１８の面部の製造誤差によってバラツクことを抑制することができる。したがって、取付具３０により確実に化粧板１４を便器本体１２に取り付けることができる。
【００６２】
また、便器１０の構成によれば、他の用途のため設けられている既存のボルト２４Ａ、２４Ｂを用いて取付具３０により化粧板１４を便器本体１２に取り付けることができる。この結果、製造工程を増やすことなく、確実に化粧板１４を便器本体１２に取り付けることができる。
【００６３】
また、便器１０の構成によれば、便器接続部３４が、便器本体１２の背面１２Ｃの裏面となる箇所に接続される第１便器接続部３４Ａと、便器本体１２の上面１２Ａの裏面となる箇所に接続される第２便器接続部３４Ｂと、を有するので、化粧板１４に力が掛っても背面１２Ｃの裏面と上面１２Ａの裏面との直線上でない２方向にその力が分散されるので、化粧板１４と便器本体１２の取り付けが強固となる。
【００６４】
また、便器１０の構成によれば、便器接続部３４と異なる箇所に設けられ、少なくとも化粧板１４を便器本体１２に取り付けた際に凹部１８の平面と当接する当接部３８を備えているので、化粧板１４を便器本体１２に取り付けた際に化粧板１４に力が掛っても当接部３８が凹部１８の平面と当接するので、化粧板１４が、変形したまま取り付けられたり、化粧板１４の姿勢が目的の姿勢でないまま取り付けられたりすることを抑制できる。
【００６５】
また、便器１０の構成によれば、化粧板１４の下端を便器本体１２に取り付ける面ファスナー２２Ａ、２２Ｂが凹部１８の下方側面（下方の面１８Ｃ）に設けられているので、バラつきの大きい凹部１８の底面に化粧板１４を取り付ける必要がなくなり、より確実に化粧板１４を便器本体１２に取り付けることができる。また、化粧板１４の下端を便器本体１２に取り付ける面ファスナー２２Ａ、２２Ｂが凹部１８の下方側面に設けられているので、化粧板１４の下端と凹部１８の下方側面との間の隙間を小さくできる、或いは、一定した（安定した）隙間を形成できる。
【００６６】
＜変形例＞
以上、本願の開示する技術の実施形態について説明したが、本願の開示する技術は、上記に限定されるものではない。
【００６７】
例えば、実施形態では化粧板１４の形状は四角形状である場合を説明したが、特に限定はされず、丸形状や、三角形状、六角形状等であってもよい。
【００６８】
また、実施形態では取付具３０が第１便器接続部３４Ａと第２便器接続部３４Ｂの両方を有する場合を説明したが、何れか一方のみを有してもよい。同様に、取付具３０が、第１便器接続部３４Ａと第２便器接続部３４Ｂの他、第３、第４等の他の便器接続部を有してもよい。
【００６９】
また、凹部１８は、便器本体１２のトラップがむき出しになっている箇所も含む広い意味で用いてもよい。
【００７０】
また、当接部３８は省略することもできる。逆に、当接部３８は、他の箇所に設けてもよいし、図５に示す箇所に加えて、第２便器接続部３４Ｂにも当接部５０を設けてもよい。
【００７１】
前述した各実施の形態が備える各要素は、技術的に可能な限りにおいて組み合わせることができ、これらを組み合わせたものも本発明の特徴を含む限り本発明の範囲に包含される。
【符号の説明】
【００７２】
１０…便器
１２…便器本体
１４…化粧板
１８…凹部
１８Ａ…底面（平面）
１８Ｂ…側面（平面）
２２Ａ、２２Ｂ…面ファスナー（貼付部材）
２４Ａ、２４Ｂ…ボルト（突起部）
３０…取付具
３４…便器接続部
３４Ａ…第１便器接続部
３４Ｂ…第２便器接続部
３６…化粧板接続部
３８…当接部
４０…挿入口（挿入部）
４４…挿入口（挿入部）
【図１】
2016069905.tif 000003
【図２】
2016069905.tif 000004
【図３】
2016069905.tif 000005
【図４】
2016069905.tif 000006
【図５】
2016069905.tif 000007
【図６】
2016069905.tif 000008